(57)【特許請求の範囲】
【請求項１】
放送電波を受信し特定の周波数のデジタル放送信号を取り出す受信手段と、
前記受信手段が取り出したデジタル放送信号に含まれる１つ以上の各階層の復調を行う復調手段と、
前記復調手段で復調した各階層のデジタル放送信号の誤り訂正を行い映像信号、音声信号及び番組特定情報であるＰＳＩの少なくとも何れかのパケットを含むＴＳパケットを生成する誤り訂正手段と、
前記誤り訂正手段の出力であるＴＳパケットからＰＳＩについて取得できた場合には前記ＰＳＩの選局情報を出力し、取得できなかった場合には前記ＰＳＩの取得不可情報を出力する番組情報取得手段と、
前記番組情報取得手段の出力を記憶する番組情報記憶手段と、
前記番組情報記憶手段が弱階層でのみ送出されるＰＳＩである弱階層ＰＳＩについて選局情報を記憶している場合には弱階層を選局する旨の命令を、前記弱階層ＰＳＩについては取得不可情報を記憶しているが強階層でのみ送出されるＰＳＩである強階層ＰＳＩについては選局情報を記憶している場合には強階層を選局する旨の命令を、前記弱階層ＰＳＩ及び前記強階層ＰＳＩについて取得不可情報を記憶している場合には現在の選局状態を維持する旨の命令を、出力する番組情報取得状態判定手段と、
前記誤り訂正手段で生成されたＴＳパケットから、それぞれの階層に含まれる映像信号、音声信号のすべてのパケット、もしくはいずれかひとつの信号のパケットについて、前記番組情報取得状態判定手段からの命令に基づき指定された階層のパケットのみを出力する階層切換手段と、
前記階層切換手段の出力を復号し出力するＡＶ復号手段と、
前記ＡＶ復号手段が出力する画像と音声を画像再生装置や音声再生装置に出力する出力手段と、
を有するデジタル放送受信装置。
【請求項２】
前記弱階層ＰＳＩは、ＰＡＴであることを特徴とする請求項１記載のデジタル放送受信装置。
【請求項３】
前記強階層ＰＳＩは、ＮＩＴであることを特徴とする請求項１記載のデジタル放送受信装置。
【発明の詳細な説明】
【技術分野】
【０００１】
本発明は階層伝送によるデジタル放送に対応したデジタル放送受信装置および、デジタル放送受信方法に関するものであり、例えば地上波デジタル放送に対応した車載用放送受信装置など移動体に搭載のデジタル放送受信装置だけでなく、家庭用テレビの固定受信装置にも適用することができる。
【背景技術】
【０００２】
デジタル放送では、品質を低下させずにデータを圧縮することができるため、１つの電波または１つの周波数帯域に複数の映像や音声を伝送することで多数のチャンネルを設定することができる。
【０００３】
地上デジタル放送では、各放送局に割り当てられた伝送帯域を複数のセグメントに分割し、１つ以上のセグメントで構成された階層を複数同時に伝送する階層伝送による放送が行われる。階層伝送では、階層を構成するセグメント数が多いほど高品質のデータを伝送でき、高品位なチャンネルを構成することが可能となる。また、階層を構成するセグメントが少ないほど伝送可能なデータ量は少なくなる。
【０００４】
地上デジタル放送では、１つのセグメントで構成される階層（以下、強階層という）と、複数のセグメントで構成される階層（以下、弱階層という）の階層構造を構成することができる。弱階層は、多くデータ量を伝送するために伝送効率の高い変調方式が行われており、高品位なサービスが可能であるが、移動体での受信や低い受信レベルでの受信に弱い特性を持つ。強階層は、移動体での受信に強い変調方式が行われており低い受信レベルまで安定した受信が可能であるが、データ量が少ないために低品位なサービスとなる。また、弱階層は、構成するセグメントの数により２つの階層で構成される場合もある。
【０００５】
そこで各放送局では、弱階層は家庭用テレビの固定受信機向けの放送使用し、強階層は携帯端末などの移動体受信機向けの放送に使用し、各々のサービスの提供を行う。また、放送局は弱階層と強階層で同じサービス（以下、サイマル放送という）を提供することも可能である。
【０００６】
このように、弱階層と強階層を用いてサイマル放送のサービスを放送局が行い、また階層伝送によるデジタル放送を受信可能な受信機においては、各々の階層の受信状態を検出し、ユーザーの番組視聴にとって最適な階層での受信を自動で切り換えるデジタル放送受信装置の提案がなされている。このようなデジタル放送受信装置として、図６に示すデジタル放送受信装置がある（例えば特許文献１参照）。図６に示すデジタル放送受信装置を従来例１とする。また、従来例１では、弱階層から強階層への自動切換えについて提案がなされているが、強階層から弱階層への自動切換えを行うデジタル放送受信装置として図７に示すデジタル放送受信装置が提案されている（たとえば特許文献２参照）。図７に示すデジタル放送受信装置を従来例２とする。
【０００７】
従来例１または従来例２に示すデジタル放送受信装置では、電界強度を検出する電界強度検出手段（従来例２では電界強度測定器）と、階層の再生状態を検出する再生状態検出手段と出力する階層を決定する階層決定手段を備えることを特徴としており、電界強度検出手段では電界強度の測定回路を備えており、デジタル放送信号の階層ごとの電界強度を測定する。また再生状態検出手段では現在出力しているチャンネルの階層ごとの画質の測定回路を備えており、一画面あたりのブロックのノイズの個数をカウントする。これらの測定結果についてあらかじめ設定された閾値を基準に基づき受信する階層を決定し、階層決定手段によって自動切換えを行うことを特徴としている。
【特許文献１】特開２００３−２７４３０２号公報
【特許文献２】特開２００５−２７７８７３号公報
【発明の開示】
【発明が解決しようとする課題】
【０００８】
判定条件として電界強度を用いた場合、電界強度を計測し判定に用いるために数値化し、数値化した電界強度を出力する機能を有する測定器をデジタル放送受信機に搭載しなければならない。しかし、デジタル放送受信機の基本機能であるデジタル放送を受信し選局するためには必ず必要とされる機能ではなく、従来例１と従来例２で提案されるデジタル放送受信装置では商品価格を押し上げることになり、ユーザーに不利益を与えることになる。
【０００９】
また、判定条件として画面あたりのブロックノイズ個数を用いた場合、再生画面状態を解析し判定に用いるためにブロックノイズの個数として数値化し、数値化したブロックノイズを出力する機能を有する画像解析装置をデジタル放送受信機に搭載しなければならない。しかし、デジタル放送受信機の基本機能であるデジタル放送を受信し選局するためには必ず必要とされる機能ではなく、従来例１と従来例２で提案されるデジタル放送受信装置では商品価格を押し上げることになり、ユーザーに不利益を与えることになる。
【００１０】
また、自動切換えの判定には特定の閾値を用いるため、移動体などの進行方向や速度、場所などにより受信状態が不安定な環境においては、測定結果が閾値付近を中心に変動する場合も考えられ、このような場合では受信する階層の切換が連続して行われることとなり、ユーザーに安定した視聴を提供することができなくなる。
【００１１】
本発明は上記のような状況を鑑み、デジタル放送受信装置の基本機能であるデジタル放送の受信および選局に必要不可欠な情報の取得状況を元に各階層の受信可能状態を検出することにより、デジタル法送受信装置の基本機能に不要な機能を有するハードやシステムを搭載することなく、ユーザーの視聴に最適な階層での受信を自動で切り換える機能を実現し安価で使い勝手のよいデジタル受信装置を提案するものである。
【００１２】
またデジタル放送受信装置の基本機能であるデジタル放送の受信および選局に必要不可欠な情報の連続性を判定することで、不安定な受信環境下においても安定した受信と選局を行うことができ、ユーザーの視聴に最適な階層での安定した受信を行う機能を実現し安定した受信で視聴によるストレスの少ないデジタル受信装置を提案するものである。
【課題を解決するための手段】
【００１３】
本発明で提案するデジタル放送受信装置は、具体的には放送電波を受信し特定の周波数のデジタル放送信号を取り出す受信手段と、前記受信手段が取り出したデジタル放送信号に含まれる１つ以上の各階層の復調が行える復調手段と、前記復調手段で復調した各階層のデジタル放送信号の誤り訂正を行い、ＴＳパケットを生成する誤り訂正手段と、ＴＳパケットからＰＳＩを取得する番組情報取得手段と、前記誤り訂正手段で生成されたＴＳパケットに含まれる映像信号または音声信号のパケットを復号し出力するＡＶ復号手段と、前記ＡＶ復号手段が出力する画像と音声を画像再生装置や音声再生装置に出力する出力手段と、前述の各手段をコントロールするＣＰＵとを備えたデジタル放送受信装置であって、前記受信手段が取り出したデジタル放送信号を前記復調手段と前記誤り訂正手段によって生成されたＴＳパケットから特定された階層の映像信号または音声信号のパケットを前記ＡＶ復号手段に出力する階層切換手段と、前記番組情報取得手段が取得したＰＳＩを記憶する番組情報記憶手段と、前記番組情報記憶手段が記憶しているＰＳＩの情報に基づき前記階層切換手段を制御する番組情報取得状態判定手段を備えることを特徴とするデジタル放送受信装置である。
【発明の効果】
【００１４】
以上のように、本発明のデジタル放送受信装置によれば、ユーザーの視聴に最適な階層での受信の切換にデジタル放送受信装置の基本機能であるデジタル放送の受信および選局に必要不可欠なＰＳＩの情報を用いることで、特別なハードや機能を付加することなく弱階層と強階層の自動切換えを実現し、また受信状態が不安定な環境においても安定した自動切換えを行えることができ、ユーザーにとって安価で使い勝手の良く視聴によるストレスの少ない商品を提供することが可能となる。
【００１５】
さらに自動切換えのための判定手段が再生画面状態の画像解析ではなく、誤り訂正後のＴＳパケットに含まれるＰＳＩの情報を用いることから、留守録のように映像出力が行われず再生画面状態の画像解析が不可能な使用環境においても受信および選局が可能な階層の自動切換を機能させることができ、複数の階層の録画を行うことができないデジタル録画機器へのデジタル録画においても、再生が可能な階層のみを録画することができ受信環境が不安定な要因による録画の失敗を提言させることが可能となる。
【００１６】
また自動切換えのための判定手段が再生画面状態の画像解析ではなく、誤り訂正後のＴＳパケットに含まれるＰＳＩの情報を用いることから、信号処理の後段にあるＡＶ復号や出力手段の機能を停止することができ消費電力の低減にも効果がある。
【発明を実施するための最良の形態】
【００１７】
（実施の形態１）
本発明で提案するデジタル放送受信装置の第１の実施形態を説明する。
【００１８】
図１は本発明の第１の実施形態であるデジタル放送受信装置１００の構成例を示している。
【００１９】
受信手段１０１は、アンテナによって受信された放送電波から特定の周波数の放送信号のみを取り出す。周波数は、チャンネルごとに６ＭＨｚの帯域が割り当てられ、それぞれに固有のチャンネル番号が割り当てられる。地上デジタル放送では、地域ごとにチャンネルが使用する周波数帯域とチャンネル番号が割り当てられており、隣接または近隣の地域において使用するチャンネル番号が重なる場合があり、その場合は枝番として番号を付加することによりユーザーによるチャンネルの識別を行う。受信手段１０１により特定の周波数のデジタル放送信号を取り出す操作としては、ユーザーがリモートコントローラ（以下、リモコンという）や本体の操作ボタンにより、チャンネル番号を指定することが一般に知られている。
【００２０】
復調手段１０２は、受信手段１０１で取り出された放送局から特定の変調方式において変調され放送電波として送出されたデジタル放送信号を、放送局での変調方式と同一の変調方式で復調する。復調においては、すべての階層のデジタル放送信号を復調する。
【００２１】
誤り訂正手段１０３は、階層ごとに復調されたデジタル放送信号からそれぞれの階層のＴＳパケットを生成する。生成されたＴＳパケットには、映像信号や音声信号のほかに番組表などを表示するための番組配列情報（Ｓｅｒｖｉｃｅ  Ｉｎｆｏｒｍａｔｉｏｎ：以下、ＳＩという）や番組を選局するためのＰＳＩのパケットが含まれる。
【００２２】
番組情報取得手段１０４は、誤り訂正手段１０３で生成されたＴＳパケットから、それぞれの階層に含まれるＰＳＩの監視を行い、ＰＳＩを取り出す。ＰＳＩは、特定の周期で繰り返し送出することが定められており、特定の周期内にＰＳＩを取得できた場合には取得したＰＳＩの選局情報を出力し、特定の周期で取得できなかった場合にはＰＳＩエラーを出力する。
【００２３】
番組情報記憶手段１０８は、番組情報取得手段１０４が出力したＰＳＩの選局情報もしくはＰＳＩエラーを、各階層のすべてのＰＳＩについて記憶する。
【００２４】
番組情報取得状態判定手段１０９は、番組情報記憶手段１０８が記憶するＰＳＩの情報から弱階層でのみ送出されるＰｒｏｇｒａｍ  Ａｓｓｏｃｉａｔｉｏｎ  Ｔａｂｌｅ（以下、ＰＡＴという）の監視を行い、ＰＡＴの情報に基づきデジタル放送受信機１００が受信する階層を決定する。例えば、番組情報記憶手段１０８にＰＡＴの選局情報が記憶されている場合は、弱階層の受信が正しく行われていると判断し弱階層の受信を命令する。番組情報記憶手段１０８にＰＳＩエラーとしてＰＡＴの情報が記憶されている場合は、弱階層の受信が正しく行われていないものと判断し強階層の受信を命令する。これらの判断は、弱階層が降雨や障害物、位置移動などを原因とする障害による放送電波の減衰に弱く、弱階層に含まれるＰＳＩは取得エラーを発生させるが、強階層は放送電波の減衰に強いため、強階層に含まれるＰＳＩは選局情報として取得できるためであり、弱階層にのみ含まれるＰＳＩを監視することにより、判断を行うことができる。
【００２５】
階層切換手段１０５は、誤り訂正手段１０３で生成されたＴＳパケットから、それぞれの階層に含まれる映像信号、音声信号のすべてのパケット、もしくはいずれかひとつの信号のパケットについて、番組情報取得状態判定手段１０９からの命令に基づき指定された階層のパケットのみを出力する。
【００２６】
ＡＶ復号手段１０６は、階層切換手段１０５から出力された映像信号または音声信号のパケットについて復号を行い画像または音声として出力する。
【００２７】
ＣＰＵ１２１は方送受信装置１００全体のシステムを管理するマイクロコンピュータであり、各手段およびメッセージや命令の制御を行う。
【００２８】
ＲＡＭ１２２は書換えが可能な記憶媒体であり、必要に応じてデータの保存や消去が可能である。
【００２９】
ＦＬＡＳＨメモリ１２３は、書換えが可能な記憶媒体であり、必要に応じてデータの保存や消去が可能である。
【００３０】
次に、第１の実施形態であるデジタル放送受信装置１００における自動切換の処理手順を、図２を用いて説明する。
【００３１】
第１の実施形態であるデジタル放送受信装置１００においては、番組情報取得手段１０４はＴＳパケットに含まれるＰＳＩの常時監視を行いＰＳＩの取得を行う。ＰＳＩは特定の周期で繰り返し送出することが定められており、特定の周期を閾値として取得の判定（Ｓ２０１）を行う。ＰＳＩを特定の周期内で取得できた場合はＰＳＩの選局情報を番組情報記憶手段１０８に記憶（Ｓ２０２）し、特定の周期内で取得できなかった場合はＰＳＩエラーを番組情報記憶手段１０８に記憶（Ｓ２０３）する。
【００３２】
次に、番組情報取得状態判定手段１０９は、番組情報記憶手段１０８が記憶するＰＳＩのうちＰＡＴについてのみ監視（Ｓ２０４）を行う。番組情報取得手段１０８では、取得できた選局情報、もしくは取得に失敗した場合のＰＳＩエラーを記憶しているため、こられ二つの状態の監視を行う。選局情報は番組の変化などにより内容が更新されるが、番組情報取得状態判定手段１０９では選局情報の内容の変化については監視を行わない。
【００３３】
番組情報取得状態判定手段１０９が監視するＰＡＴがＰＳＩエラーとして記憶されている場合は、番組情報取得状態判定手段１０９は階層切換手段１０５に強階層の選局を命令（Ｓ２０６）する。もし、番組情報取得状態判定手段１０９が監視するＰＡＴが選局情報として記憶されている場合は、番組情報取得状態判定手段１０９は階層切換手段１０５に弱階層の選局を命令（Ｓ２０５）する。
【００３４】
なお本実施例においては、番組情報取得手段１０４は定められた特定の周期を閾値として取得の判定としているが、送出するデータ量などにより実際の運用周期に定められた周期に対してデータの取得するタイミングが遅れる場合がある。そのため、取得の判定に用いる閾値についても定められた周期を基準に幅を持たせてもよい。
【００３５】
なお本実施例においては、番組情報取得状態判定手段１０９は番組情報記憶手段１０８が記憶する弱階層でのみ送出されているＰＳＩを監視することで弱階層と強階層の選局を自動で切り換える機能を実現しているが、さらに強階層でのみ送出されるＰＳＩを監視してもよい良い。強階層でのみ送出されるＰＳＩを監視することにより、デジタル放送が受信不可状態であることを検出することが可能となる。以降の説明では、強階層でのみ送出されるＰＳＩとしてＮｅｔｗｏｒｋ  Ｉｎｆｏｒｍａｔｉｏｎ  Ｔａｂｌｅ（以下、ＮＩＴという）を用いて行うが、強階層でのみ送出される他のＰＳＩを用いても良い。番組情報記憶手段１０８に記憶されているＰＡＴがＰＳＩエラーとして記憶されている場合、ＮＩＴの情報を監視する。番組情報記憶手段１０８に記憶されているＮＩＴもＰＳＩエラーとして記憶されている場合は、番組情報取得状態判定手段１０９は強階層の受信も正しく行われていないものと判断し、選局処理を行わず現在の選局状態の維持を命令する。
【００３６】
処理手順を、図３を用いて説明する。図２と同じ番号の処理手順は同じ処理を行うものとする。番組情報取得状態判定手段１０９は、番組情報記憶手段１０８が記憶するＰＳＩのうちＰＡＴについて監視（Ｓ２０４）を行う。ＰＡＴがＰＳＩエラーで記憶されている場合は、番組情報記憶手段１０８が記憶するＰＳＩのうちＮＩＴについて監視（Ｓ３０７）を行う。ＮＩＴがＰＳＩエラーで記憶されている場合は、番組情報取得状態判定手段１０９は選局不可と判断し階層切換手段１０５に選局処理を行わず現在の状態の維持を命令（Ｓ３０８）する。もし、番組情報取得状態判定手段１０９が監視するＮＩＴが選局情報として記憶されている場合は、番組情報取得状態判定手段１０９は階層切換手段１０５に強階層の選局を命令（Ｓ２０６）する。
【００３７】
なお本実施例においては、番組情報取得状態判定手段１０９は番組情報記憶手段１０８が記憶するＰＡＴの情報に基づき弱階層と強階層の切換を判定するとあるが、１回の取得状態の監視ではなく、記憶されているＰＡＴの連続的な状態変化に基づき判定するようにしても良い。ＰＡＴの連続的な状態変化を監視することにより移動体などの進行方向や速度、場所などによる受信状態が不安定な環境など測定結果が閾値付近を中心に変動する状況においても安定した受信と切換を行うことが可能となる。番組情報取得状態判定手段１０９は、番組情報記憶手段１０８が記憶するＰＳＩから弱階層でのみ送出されるＰＡＴの監視を行い、ＰＡＴについて選局情報もしくはＰＳＩエラーへの変化を検出する。番組情報取得状態判定手段１０９が特定の期間内にＰＡＴの情報の変化を検出した場合は、受信状態が不安定な環境であると判断し最初の取得したＰＡＴの情報を無効にし、現在の受信状態を維持したまま再度状態の変化を監視する。特定の期間内にＰＡＴの情報の変化を検出しない場合は、ＰＡＴの情報に基づき、デジタル放送受信機１００が受信する階層を決定し切換えを行う。ＰＡＴの情報の連続性を監視することにより、降雨や障害物、位置移動などを原因とする障害により放送電波の受信レベルの変動が大きい状況においても、連続的に受信する階層の自動切換えが発生することが無くなり、視聴するユーザーのストレスを低減することができる。
【００３８】
処理手順を、図４を用いて説明する。図２と同じ番号の処理手順は同じ処理を行うものとする。番組情報取得状態判定手段１０９は、番組情報記憶手段１０８が記憶するＰＳＩ情報のうちＰＡＴについてのみ監視を行い、さらに番組情報取得状態判定手段１０９はＰＡＴについて選局情報もしくはＰＳＩエラーへの変化を検出後、特定の期間内について状態の変化の監視を継続し、ＰＡＴの情報取得の安定状態を判定（Ｓ４０４）する。例えば、番組情報取得状態判定手段１０９がＰＡＴの情報として選局情報の検出後、特定の期間内にＰＳＩエラーへの変化を検出した場合は、受信状態が不安定な環境であると判断し、番組情報取得状態判定手段１０９は階層切換手段１０５に現在の選局状態の維持を命令（Ｓ４０９）する。また特定の期間内にＰＡＴの情報の変化を検出できない場合は、安定して受信可能な状態であると判断し、番組情報取得状態判定手段１０９は階層切換手段１０５に弱階層の選局を命令（Ｓ２０５）する。逆に番組情報取得状態判定手段１０９がＰＡＴの情報としてＰＳＩエラーの検出後、特定の期間内に選局情報への変化を検出した場合は、受信状態が不安定な環境であると判断し、番組情報取得状態判定手段１０９は階層切換手段１０５に現在の選局状態の維持を命令（Ｓ４０９）するまた特定の期間内にＰＡＴの情報の変化を検出できない場合は、安定して弱階層が受信不可能な状態であると判断し、番組情報取得状態判定手段１０９は階層切換手段１０５に強階層の選局を命令（Ｓ２０６）する。
【００３９】
またＰＡＴの情報が特定の期間内に変化する状況においては、放送電波の受信レベルの変動が大きく弱階層での受信が困難である可能性が非常に高い。現在の状態が弱階層である場合、番組の視聴において可能な状態と不可能な状態が連続的に変化することになり、視聴するユーザーストレスを与えることになる。番組情報取得状態判定手段１０９は、特定の期間内にＰＡＴの情報の変化を再度検出した場合、強制的に強階層の受信を命令するようにしても良い。強階層を強制的に受信することにより、放送電波の受信レベルが大きく変動するような環境においても、安定した受信が可能となり、視聴するユーザーストレスを低減することができる。
【００４０】
処理手順を、図５を用いて説明する。図２と同じ番号の処理手順は同じ処理を行うものとする。番組情報取得状態判定手段１０９は、番組情報記憶手段１０８が記憶するＰＳＩ情報のうちＰＡＴについてのみ監視を行い、さらに番組情報取得状態判定手段１０９はＰＡＴについて選局情報もしくはＰＳＩエラーへの変化を検出後、特定の期間内について状態の変化の監視を継続し、ＰＡＴの情報取得の安定状態を判定（Ｓ４０４）する。例えば、番組情報取得状態判定手段１０９がＰＡＴの情報として選局情報の検出後、特定の期間内にＰＳＩエラーへの変化を検出した場合は、受信状態が不安定な環境であると判断し、番組情報取得状態判定手段１０９は階層切換手段１０５に強階層の選局を命令（Ｓ５０９）する。また特定の期間内にＰＡＴの情報の変化を検出できない場合は、安定して受信可能な状態であると判断し、番組情報取得状態判定手段１０９は階層切換手段１０５に弱階層の選局を命令（Ｓ２０５）する。逆に番組情報取得状態判定手段１０９がＰＡＴの情報としてＰＳＩエラーの検出後、特定の期間内に選局情報への変化を検出した場合は、受信状態が不安定な環境であると判断し、番組情報取得状態判定手段１０９は階層切換手段１０５に強階層の選局を命令（Ｓ５０９）する。また特定の期間内にＰＡＴの情報の変化を検出できない場合は、安定して弱階層が受信不可能な状態であると判断し、番組情報取得状態判定手段１０９は階層切換手段１０５に強階層の選局を命令（Ｓ２０６）する。
【００４１】
なお図３および図４の実施例において、番組情報取得状態判定手段１０９が情報の連続性を判定する特定の期間は時間で規定してもよい。また周期的に送出されるＰＡＴを番組情報取得手段１０４が取得する回数で規定しても良い。もしくは時間と回数を組み合わせて判定しても良い。また、選局情報の取得判定と、ＰＳＩエラーの判定に用いる期間は、同一の期間、もしくはそれぞれで異なる期間を設定しても良い。
【００４２】
なお本実施例においては、番組情報取得手段１０４は誤り訂正手段１０３で生成されたＴＳパケットからそれぞれの階層に含まれるＰＳＩのみを監視するとしているが、番組配列情報（Ｓｅｒｖｉｃｅ  Ｉｎｆｏｒｍａｔｉｏｎ：以下、ＳＩという）を取得し番組表を表示するなどＳＩの情報を使用している場合は、ＳＩについても監視を行い、ＳＩを取り出してもよい。ＳＩは、ＰＳＩと同じく特定の周期で繰り返し送出することが定められており、特定の周期内にＳＩを取得できた場合には取得したＳＩの番組情報を出力し、特定の周期で取得できなかった場合にはＳＩエラーを出力する。
【００４３】
なお本実施例においては、番組情報記憶手段１０８は番組情報取得手段１０４が出力したＰＳＩの選局情報もしくはＰＳＩエラーについて記憶するとしているが、ＳＩを取得し番組表を表示するなどＳＩの情報を使用している場合は、各階層のすべてのＳＩにつて番組情報もしくはＳＩエラーを記憶するようにしてもよい。
【００４４】
なお本実施例においては、番組情報取得状態判定手段１０９は番組情報記憶手段１０８が記憶するＰＳＩの情報から弱階層でのみ送出されるＰＡＴの監視を行い、ＰＡＴの情報に基づきデジタル放送受信機１００が受信する階層を決定するとしているが、ＳＩを取得し番組表を表示するなどＳＩの情報を使用している場合は、番組情報記憶手段１０８が記憶するＳＩ情報から弱階層でのみ送出されるＳＩの監視を行いＳＩの情報に基づきデジタル放送受信機１００が受信する階層を決定するようにしてもよい。また、これらの情報を１つ以上組み合わせて判定に使用してもよい。複数の情報を用いることにより、判定における精度向上を図ることができ、誤判定によって発生する自動切換えの誤動作などを軽減することが可能となる。
【００４５】
なお本実施例における復調手段１０２、誤り訂正手段１０３、ＡＶ復号手段１０６の各手段の機能において、受信または変換する際に発生するエラーレートを換算し出力できる機能を持つ場合、エラーレート情報を弱階層と強階層の自動切換えの判定に用いても良い。例えば、放送電波の受信レベルを搬送波と雑音（Ｃ／Ｎ）比として取得できる場合は、弱階層と強階層の切り換えの判定、また強階層と選局不可状態の判定を特定の閾値を設けることにより行うことができる。また、エラーレート情報による判定結果を、番組情報取得状態判定１０９と組み合わせて用いても良い。
【００４６】
なお本実施例における復調手段１０２、誤り訂正手段１０３、番組情報取得手段１０４の各手段の機能においては、複数の階層を処理する機能を有しているが、弱階層と強階層ごとにデジタル放送信号の処理を分割しても良い。
【００４７】
構成例を、図６を用いて説明する。図１と同じ番号の手段は同じ機能を有するものとする。
【００４８】
復調手段６０２は、内部に弱階層用の復調手段Ａと強階層用の復調手段Ｂの機能を有する。受信手段１０１で取り出されたデジタル放送信号は、それぞれの復調手段で階層ごとの変調方式で復調される。
【００４９】
誤り訂正手段６０３は、内部に弱階層用の誤り訂正手段Ａと強階層用の誤り訂正手段Ｂの機能を有する。誤り訂正手段Ａは復調手段Ａで復調されたデジタル放送信号から弱階層のＴＳパケットを生成する。誤り訂正手段Ｂは復調手段Ｂで復調されたデジタル放送信号から強階層のＴＳパケットを生成する。
【００５０】
番組情報取得手段６０４は、内部に弱階層用の番組情報取得手段Ａと強階層用の番組情報取得手段Ｂの機能を有する。番組情報取得手段Ａは誤り訂正手段Ａで生成されたＴＳパケットから弱階層のＰＳＩの監視を行い、ＰＳＩを取り出す。番組情報取得手段Ｂは誤り訂正手段Ｂで生成されたＴＳパケットから強階層のＰＳＩの監視を行い、ＰＳＩを取り出す。
【００５１】
このように各手段の機能を階層ごとに分割することにより、１手段の機能が単一化し手段や機能の組み合わせによる製品の応用範囲が拡張する。また１手段の機能が簡素化するため不具合の発生可能性を低減させることができる。
【産業上の利用可能性】
【００５２】
本発明は、階層伝送を受信可能なデジタル放送受信装置において各階層の選局を行う際に、選局に必要不可欠な情報を用いて最適な階層の放送へ自動的に切り換えて選局させる処理を行うデジタル放送受信装置に関するものであって有用である。
【図面の簡単な説明】
【００５３】
【図１】本発明における放送受信装置のブロック図
【図２】本発明における放送受信装置の処理のフローチャート
【図３】本発明における放送受信装置の処理のフローチャート
【図４】本発明における放送受信装置の処理のフローチャート
【図５】本発明における放送受信装置の処理のフローチャート
【図６】本発明における放送受信装置のブロック図
【図７】従来のデジタル放送受信装置のブロック図
【図８】従来のデジタル放送受信装置のブロック図
【符号の説明】
【００５４】
１００    デジタル放送受信装置
１０１    受信手段
１０２    復調手段
１０３    誤り訂正手段
１０４    番組情報取得手段
１０５    階層切換手段
１０６    ＡＶ復号手段
１０７    出力手段
１０８    番組情報記憶手段
１０９    番組情報取得状態判定手段
１２１    ＣＰＵ
１２２    ＲＡＭ
１２３    ＦＬＡＳＨメモリ
６０２    復調手段
６０３    誤り訂正手段
６０４    番組情報取得手段
【図１】
0004650307.tif 000002
【図２】
0004650307.tif 000003
【図３】
0004650307.tif 000004
【図４】
0004650307.tif 000005
【図５】
0004650307.tif 000006
【図６】
0004650307.tif 000007
【図７】
0004650307.tif 000008
【図８】
0004650307.tif 000009